(57)【要約】      （修正有）【課題】  文明の理器の整わない現地（戦争被災地を含む）で、生活するのに、まずどうにもならない課題の一つとして、文明人が一キャンプ、一研究をするのに使用したマッチ、ライターの数は、現地人が火起こし器一つ用いる所、一千個の割合で消失、ゴミとなり、他害虫弊害。【解決手段】  毛虫、急なスコール、蜂、蛭の襲来にも安心でき、低コストで大量生産できるオブカッパではすぐ着用でき、海においてもクラゲに刺されずに済み、××バケツは特に小型ボートでの風の強い時、これをメガホンに出来、そのまま水中に投じれば、横波に強いスタビライザーとなった。ここに発明された品々は、文化文明にある、我々の都市圏にあってもすぐなる防災グッズとなり、戦災被災地にあって有能。【選択図】図１
2006283264.tif 000002
【特許請求の範囲】
【請求項１】
現在市販されているゴミ入れ、ポリ、ビニール袋を逆さにし、胴を覆う首部と腕部位に印を付け、腕部に袖を付けて置き、携帯される時、急な荒天、雨降り時において、これを取り出し、印部を破るか、切り取って躰に着込み、備え付けの三角布で頭部を覆う時、胴体を保護する完全防水のカッパが出来、これをオブカッパ（テオリーくん２２０号）と呼称し、カッパ不要事には、そのまま、ゴミ袋として、これを使用する事が出来る発明品が創作される事への請求。
【請求項２】
上記述、オブカッパの又部を割り、ズボン状に製作し、割られたズボンの又部をノリ付けしておき、必要時には、これを剥し、カッパのズボンとして使用する時、これをオブ、カッパ、ズボン（テオリーくん２２１号）と呼称し、不必要時には、ゴミ袋として、使用する事が出来る、本発明品が創作される事への請求。
【請求項３】
上記述、オブカッパ、及びオブカッパズボンの襟部、枕、腰部等に空気収納袋を取り付けると、（オブカッパ素材ビニールを二重にして製作すると水没時空間にある空気が、全て、枕、襟部、腰部に集まる自動）、釣、漁、ボート行楽地に携行を必要とする丈夫なライフジャケット（テオリーくん２２２号）となり、有事の際、大いに役立つ事が発明され、創作される事への請求。
【請求項４】
オブカッパ、ズボンを発泡ビニールで製作し、ウレタン、ビニール（別、特許、２００５−    号、陣羽織参照）を布カバーに用いると（夏期）寝袋に代用できる物となるオブ、シェラーフザック（テオリーくん２２３号）を発明する事への請求。
【請求項５】
既在し、市販されている金属製バケツの底、高台部の取り付け、取り外しを自在とし、そこに蚊取線香等の小物を入れる××バケツ（テオリーくん２５０号）を創作し、バケツの中に、カヤの付いた金網で作られた××ヘルメット（テオリーくん２５４号）を常設し、キャンプ、有事、被災地で頭部（日焼け防止）保護帽に用いられる発明をして、これを使用せず時、
【請求項６】
本品は、長時間、電池、電灯を必要としない小型水上ボートのヘッドライトをして、エンジンを始動しない車上ヘッドライト、他、お祭り、行楽地、救助活動をする時に必要な灯明受けとなるガンドウバケツ（テオリーくん２５１号）の間に、ローソク、ランプ等を図示、設置出来る工夫をし、この外側に磁石他、枝に引っ掛け易い取っ手を付け、取手自体、図示工夫される避雷針立てとなり、本発明品、××バケツの底部に穴を開け、パイプを通す時、拡声器（テオリーくん２５２号）となり、これを水中に投じる時、ボートの安定した、スタビライザー（テオリーくん２５３号）となり、本、ガンドウバケツにプラスチックの（レンズ）を取り付けると、明りが強力になる発明がされる請求。
【請求項６】
××ヘルメットの中に、××、ヘルメットを常設しておき、××、ヘルメットを使用しない時、これに炭火にくべて××七輪（テオリーくん２５７号）として用いられるべく、これをして、××七輪の炭火（燠火）の火力を調設する為、既市販されているカートリッヂガスボンベに設置するノズルコックを取り付けた××ガスコック（テオリーくん２５４号）とこれに供する本図に示す××バケツコンロ（テオリーくん２５５号）が発明される事への請求。
【発明の詳細な説明】
【技術分野】
【０００１】  筆者は科学者であり、未開国先進国をして、学術研究の為、海、山、河及び便つぼの中から宇宙まで、足を運ばせ、世界中の科学者の注目の的となるものであったが、本件論文の指摘にある様に、気温０℃、水温−１５℃〜２０℃にある水中にあって、ポリビニールの中にあるマウスは６，２時間生存させる事が出来、夜間、屋外、キャンプ地にあって、これにウレタンビニール被布を併用して用いると、シュラーフザックの代用されるものとなり、オブカッパと命名し、これを着て、水中に入る際には、人体の衣服は一切濡れず、陸上の害虫（蚊、蜂等）、水中の毒性生物、クラゲ、エイ、（ヒル）などから身を守る事が出来る技術力を有し、従来に在るカッパ技術には無かったものであり、本発明品、オブカッパの枕、襟元に空気袋を付けると、鉄砲水、津波に攫われた際、意識を失った際にも水を吸い込んで水没する危険の無いものとなった。【０００２】  しかしながら筆者達研究グループは、インド、アフリカ、中国等の大河を（古生代生物、生き残り発見研究の為）長期間かけて、小型ボートに乗り込み、寝泊まりする事もある時、今回発明されるオブカッパ、××ヘルメット、××ガンドウ、××スタビライザー他、××、七輪（物の煮炊きが七厘の炭のコストで間に合うの意：実際は、薪を使用し、その都度、内側を銀ペン、スプレー補修をした。）。××スタビライザーは釣り竿立て他、避雷針にもなるこれらの品々の活用は未開地では、火種と灯りを余計な道具を必要とはせず、長時間確保する技術力を有し、簡易に必要な場所に用いて、移動する技術力を持っていた。
〔背景技術〕【０００３】  〔特許文献〕特願、２００４−２７８４５７、家具付車両参照されたし、
〔特許文献〕特願、２００５−              陣羽織参照されたし、
〔特許文献〕特願、２００４−              盗聴コンウィルス防止器参照されたし
〔発明の開示〕
〔発明を解決しょうとする課題〕【０００４】  筆者の幼少の頃、「テオリーくん」と呼ばれていた。そして、回想して、低能であった。夏期暑中、林間学校で昼寝をしていて、目が冷めると、パンツが無くなっていた。フルチンでパンツを探し、ようやく見つけた頃、先生が笑いながら、「人間は頭と腹（内臓器官）さへ冷やさなければ、絶対にカゼをひかず病気にもならないよ！だが、バカに付ける薬は無いが、テオリーくんは何とか症候群だから、気にしなくともいいよ！と又言ったテオリーくんはノホホンと暮らしていた。【０００５】  ところが、少年期中期より白痴の世界から自我に目冷め、脱却し、大学では法医学を主軸専攻に選び、専修する時、教授がやはり同じ事を言っていた。筆者は学修終了後、土方をやり、電気業、調理業、整図、運転手業、救命業……等々、他、点々と専門以外の職業を替えては、それらをやっていた。何でもやってみたかったのてあった。（特願２００４−３４１１９５）【０００６】  その中でも、厳冬の中、防寒着を着て、土方の交通整理をして、厳寒の山岳（海洋）地区における人命救助活動や海洋漁業をしている最中に、大雪、大雨、波しぶきをもろに身体に引っ被る事、いく度なく、仲間達の防寒着はズブ濡れとなり、シャツ、パンツまでも濡れて、カッパに着替え、シバリングを起こしている時に筆者だけは、温く、温く温くと、温い顔をして、一日の業務を中座する事も無く、こなしている事が出来た。（シバリングは内蔵が冷えて起こる現象であった。）ぶ厚い防寒着の上からは、完全防水のカッパを着れない欠点にあったからであった。（災は気の緩んだ油断した頃、突如来襲した。）【０００７】  しかしながら、それにも勝して、筆者は釣が好きで、年中、海、河において、昼夜を問わず、ラジオ、無線機を携へ、ボートに乗り、これら防波堤にも出かける事があった。その間に、多少の波は気にしない物の筆者はワガママであり、単独行動も多く、ボートが、横なぐりの波を受けたり、防波堤に居た人が、それらの波に呑み込まれ、海中に引きずり込まれる所も幾度も見た事があり、釣り仲間は全力で、これを助け合い、大事に至らなくとも済んだものの、【０００８】  他人の事であれ、今思い出してもゾッとするものであった。世の中には泳げない人や、泳ぎが仮りに上手であっても、大海を目の前にした時、それらは、完全無力に等しく、
人が目の前で溺れており、救助が間に合わず、それが出来なかった日の悲惨な現場の事をも見たので、少し話しをしてみようと思われた。それは、【００】  筆者は万一に備え、スキューバー道具を身に一式取り付けている最中の事であったが、浮き輪に掴まっていた人が、寒さと、水を飲み、声も出せず、そのまま、海中に沈んで行った時の事例であった。人は、水中にあって水を飲むと、呼吸神径がマヒするものであったが、水に沈む時、そのまま、水を吸い込み続ける為、肺の中に水が、貯まり続ける為、（人は肺の中の空気で水面浮上が容易となる）浮力を失い、海中奥深くまで、一度は沈み続ける所となるもので。【０００９】  海水が冷い場合、浮きづらく、反対に、海水が温い場合、そこで完全死すると、細菌が各細胞に至ってまで湧き、これが膨大なガスを発生させるので、ブヨブヨに膨れ、悪臭を放ち、水面に浮いてくる。人が水難にあった際には、水を飲んだり、肺に吸い込まない工夫を前以ってしておかなければならなかった。【００１０】  筆者は人生を回想する年代に入っていた。そして、国内においても、外国においても、世の少年、少女をするコドモ達等は学校授業の一環として、毎年、夏期、林間学校を称し、この課外授を幾度にか渡って修業しなければならない時期があった。人は朝起きてありきたりに家の玄関を出て、いつもの通り社会の道を歩み、学校、若しくは、会社を往復し、世の為、人の為、社会の為に善意を成し、人生抗路を黙々と進み続け、気が付くと、父となり、母となり、我が子がやはり、自分と同じ道を辿っており、【００１１】  更に気が付くと、自分は年をとっており、ありきたりに学校近くの公園のベンチに座って日なたぼっこをして、用意された自らの墓に入いるまでの間、天心爛漫に学校で、課外授業をして遊ぶコドモ達をボンヤリと見ていた。その途中の事であった。筆者テオリーくんは、戦争、地震、噴火、他、天変地異にある多くの災害を千夜一夜の夢にあるが、如くにこれを見ているのであった。一体何が起こったかは知れなかったが、暗雲が漂い、都心は廃虚と化しており、人っ子一人そこにはおらず、【００１２】  テオリーくんだけが、只一人生き残っていて、自転車（不満の象徴）に乗り、真っ暗らな崩れがかった街中を独りで走って（不満への反抗）いると、向う側にやはり、九死一生を得た（正浄代償）美女（興奮）が助けを求めていたのでテオリーくんは、これを助け出し、「人類未来の為、二人で生き抜こう！」と誓い合い（終焉）山野が川辺に迫り出辺り（境界）に山小屋を作りはしたもののその前途は堪だ険しいものとなった。この様な時、小中学校で習う林間学校の体験は大なり、小なりすぐに役立つものではあったが、日本におけるその現代の教育の殆ど全ては役に立たないものとなった。（  ）内は臨床心理学。【００１３】  それは、現在我が日本国家、小、中学校で取り行なわれている林間学校課外授業を見た時、これに無く、欧米に先駆的に存在し開発され、有事の際には親元を離れても、自主独立の精神の元に団結し、集合組織的チームワークを作り、社会活動を創作しながら、編成し、その寂しささへ感ぜず、たくましく成長してゆく、ボーイ、スカウト団精神を以って、第一、二次世界大戦、他を乗り切ったこの文化���対比し、日本では、国家方針の元に、この時期、学童疎開、社会活動政策を余議無く事とし、国家的規模災害に備えて、対処し続けた文化、文明の編歴を見る時、【００１４】
2006283264.tif 000003
るものとなるが、極東日本において、これらの災害が、再度襲いかかって来る事があれば、寝袋、プロパン、携帯ガスコンロ、大鍋をのみ学校の体育館に持ち込み、国が助力する救援物質が送り届けられるまで、持ち堪える（レベル２）までの慣用訓練に際し、【００１５】  日々、税金をしっかり収め、祖国を信頼し続ける国民一人一人にあって、いざ有事の際、その信頼し続ける祖国が、政治思想の合わぬ理由から、戦争に巻き込まれ、経済制裁を受けるべく、戦争論理学上にある兵糧攻め（第二次世界大戦の日本がそうであった。）に遭い、国政不安定要因から、国内に多くの我死者を出し続けるのも、数多く、他人如に見続けるままに、いつぞえか、多くの真相がマスコミにて隠されるがままに、自国がその様になっており、【００１６】  たかが、少国民の犠牲などは黙認、無視せよ！」と重ね添いする無知のファシズムが国政に横行し続け、「そんなバカな事もあるまい。」と言って気が付いた時には国政を失い。国家は既に死んでいる事例をも筆者は、幾度も見ていた。しかしながら、――インド、アフリカ地方滞在中の事であった。その国地方の少年、少女達は当り前の様に大河で魚釣り、野辺で草を取り、物々交換をする、これらを補う事さへ容易にしていた。（但し、ユニセフは入っていた。）【００１７】  しかしながら何が言いたいのか？  と申せば、これらの国々の人々をして、これら先進国の人々等はバカンスと称し、夏休みを多くとり、コドモ、家族を連れて、山野に繰り出し、富国強兵の一環をする家族と楽しみながら、屋外生活訓練をしているものであり、彼の国々の人々を理解し、コドモの頃習得した林間学校の知識を実践しているものであり、【００１８】  これを元に彼等は、先駆的なキャンプ、釣り道具、サバイバル屋外生活道具の数々を開発し続け、開発された道具は、民間にあっても、軍隊にあっても、訓練、有事に際しても大いに活用される所となった。上記述まで書き示された理念の元に、レジャーを体感、訓練する思想は、我が日本国家では、堪だ未熟な為、満足なレジャー用品は、発明開発された為しの無い中、筆者は３０年近く、これらの国々にあって、研究目的を以って、家は持つものの、車上生活をし、（２００４−２７８４５７号、家具付車両参照）多くの富国強兵思想に役立つ屋外生活必需品道具を開発して来た。課題の多くが生じた。
〔課題を解決する為の手段〕【００１９】  そこで、本件、発明図の多くに示される様に、（通常に無い）屋外、生活、活動時や、取る物取らずの緊急避難時、雨天候の場合、他冬期間において、防寒着の上から通常着る事の出来ないカッパを用いず、防寒着の下に人体がスッポリ入るポリ、ビニールのゴミ袋を逆さまにして、首と両腕の部位に印を付け、これに穴を開け、袖、若しくは、半割袖を付け、これを上着（作業衣）の上から、被る様に着、その上から筆者は極寒地に赴むく際には、必ず防寒着を着ていたので、仕事の途中、他夜営中、雨、あられに見舞われ、上に着る防寒着がズブ濡れになったとしても、オブカッパ、の下に（別特許：２００５−      号の陣馬織りを着こなす時）作業衣、冬物衣類、シャツ、パンツの一切は汗水で濡れる事なく、体温を保ち、一番外に着ている水を含んだ防寒衣は、冷気をシャットアウトするので、いつまでも体温を保存できる現象があったので、筆者はいついかなる悪条件下にある屋外生活活動をする際にも、シバリングを起こさないで済み、仕事が終わっても、スガスガしく作業衣を脱く事が出来るものであった。屋外で、そのまま寝ても大丈夫であった。【００２０】  この実験は、気温−１５〜２０℃、水温０℃の水中落下動物（マウス）実験で行使した所、オブカッパを付けないマウスは、平均約４０分未満で絶命したのに対し、オブカッパ、防寒着使用のマウスは、平均６．２時間以上生き延びる所となった。【００２１】  しかしながら、本発明品をプチ、ビニールを用いて、製作すると、これを着用した場合、保温効果が高まり、夏期、キャンプ地において、シュラーフザックにも代用できるものとなり、この上に防寒着（スキーウェアー）等を着ると、シーズンオフキャンプ地他、急場を凌ぐ被災地現場でのシュラーフザックの代用として充分に役立つものとなった。足が冷えるので、長ぐつの中に、本発明される、プチ、ビニール、くつ下を冬季間に履くと効果的となった。【００２２】  そして、本図に示す様に、キャンプ、被災地にあっては、ポリバケツでは無く、一個の金属製のバケツに多くの工夫を凝らすと、これも又、多くの難問を解決する手段となるものであった。これは、従来にあって、既市販はされているものの、強靱、安価格のポリバケツに販売シェアーを奪われ、どんどん衰退する一途を辿るものとなるものの一つであったが、本発明品陳列に見る、これ一個を防災バケツとして、各家庭一軒づつに常備常設されていると、キャンプ地は勿論の事、
〔発明の効果〕【００２３】  いざ、有事の際、この中に家族に見合うだけの金ごし網で作られた「××ヘルメット」を重ね積みにしておくのも、災害の多い近年における一つの手であり、普段では、茶ワン洗いの水切りにも使用でき、屋外生活を一年間以上実習しない読者には、本文を以ってしか理解できない事も無理の無い中、日本でも、寒冷地を除く、日本全国キャンプ、バカンス、避暑地他、各公園において、五月を過ぎた頃から、１２月近くまで、大変多くのヤブ蚊、蜂の大群が、散在しており、この××ヘルメットにカヤを垂らして、顔面、頭部を覆う時、釣り人など、急な蜂の大群襲来時に身を守る事が出来た他、××ヘルメットのツバの部分は折り曲げると昼寝も出来る所となり、【００２４】  本発明される××バケツ本体は、防災バケツとなる他、蚊取線香立てを中に、スポット溶接で取り付けて置くと、キャンプ地とは言わず、庭の草取り時、作業場の蚊退治に役立ち、火の用心ともなるものであり、釣場においては、生け巣、タモ、七輪、ゴミ焼器。ボートによる行楽では安定器、霧中抗路上の衝突防止ドラとなり、避雷針立て、簡易椅子、ガンドウ灯り、小物入（ワサビ、香取線香、ローソク等）れ、他、ガスレンヂ受け、熊等、害獣に出喰わした時のドラ。及び遭難防止の鐘をして、蜂の襲来時にはオブカッパを着、××ヘルメットを着装し、これは、簡易のヘルメットになる他、日除け防止（帽子）ともなり、全１５種以上の利用価値を得るものとなり、ポリバケツの利用価値を遙かに凌ぐものとなった。【００２５】  それ故、本オブカッパを防寒着の下に着ると冷風を通さず、春夏秋冬、釣人が、これを衣類の上に着た場合、寒さ除けとなり、そのまま、水中に入って行っても、衣類は、シャツパンツに至るまで、一切濡れる事もなく、ボート釣りで転落した者や、防波堤で高波に攫われた遭難者に対する救助が来るまで体温を水中で保ち続けるのに役立った。
〔発明を実施する最良の形態〕【００２６】  筆者は大学で、学生達に哲学を問うた事があった。それは、イソップ童話物語りの中で語り伝えられる狐は１００余の術を知り、猫は１術しか知らぬ内に、急災に遭遇した際、猫は生き長らえて、狐はそこで死に絶えた。とし、何故であろうか？と質問し、この答えを読者にも求めた。筆者は、現在１２０個の不必要な免許を持ち、取るに足りない学生達の免許数を数え、死ぬまでに１，０００個のこれを取る。と豪語し、自慢していたからであった。――しかしながら、この設問の解答は、イソップ自身が、物語りの中で、既に言っていた。「狐は１００術を知りながら応用力を持たないでいた。」日本の知識人、国会代議士にも同じ事が言えた。【００２７】  ポリバケツは、その特ち得る１つ術の能力においては、丈夫さ、低価格コスト製産で、金属バケツの能力を逢うかに凌ぐものとなっていたが、それが持つ質力、能力を考え、これに応用（発案、考案）を付け加えた時、金属バケツの販売ルートに喰い込み続けるポリバケツを遙かに超える作用、効果、実行性を生み出すものとなっり、その都度の必要性、便利、欲求が満たされる為、人々は、これを持ち歩く事にも苦にならず、本、発明バケツの中にガサ張らない為、【００２８】  ××、ヘルメット他、オブカッパを車のトランクや、リュック、ザックの中に入れ、常設して置いても収まりが良く、オブカッパ等は、小さく、コンパクトが出来、急な荒天に見舞われたサラリーマン、ＯＬでも、カバン、バッグの隅に入れ易く、すぐにこれを着る事が出来る為、大切なスーツ、衣類を濡らす事なく、不要の際には、事務所の片付け用ゴミ袋として、常設している事も可能な、消費消却物であり、これを以って、有事、レジャー、釣具、スポーツ、雑雑品等の販売網にも喰い込む事の出来る新たなる販路にも寄与できる企画製品になるものでもあった。
〔実施例〕【００２９】  筆者は日本に帰国後、本発明品、××バケツ、オブカッパ等を多量に製作し、年々増え続けるホームレスの人々に無料で配布し、一年間に渡って、使用していただいてみた所、便利かつ使い勝手の良い物である。との好評を得るものであり、これらは、それぞれの用途において多大な能力を発揮する物となり、ガンドウ、バケツには、小型のランプを入れ、透明のプラスチック（レンズ）の蓋をし、傍に、取っ手や、（強力）磁石を付けて置くと、車のエンヂンを始動しなくとも、車（ボート）のヘッドライト若しくは、車側ライトとして、使用でき、長時間の灯りが取れ、省エネ、コストダウン作業に役立ち、【００３０】  ガンドウバケツの上部を切り取り、そこに透明、赤、青、黄色等のプラスチックを貼り合わせて、これを作ると、クリスマス、花見、キャンプ地は言うまでもなく、夜釣りのきれいなかがり火ともなり、イルミネーション設備、電気消費料を考えた時のコスト減となり、電気設備の難しい、お盆における基地公園等では、ランプの油補給に、古くからそこに住み付く、ホームレスの人々に賃金を回わし、その救済にも役立つものとなった他、【００３１】  急な雨降りに備える、本オブカッパでは、古くからの知り合いであり、一日中、バイクに乗る事を職業としている白バイ警官に作業衣（制服）の上に着て、防寒着（皮ジャン）を着てもらい、ステテコの上にオブ、ズボンを覆き、その仕事をしてもらった所、厳冬の中でも、冷風を感ぜず、楽に仕事をする事が出来た。との意見（報告）を得る事が出来、これを使用すると、動きづらくなる皮ジャンはいらなくなる。とまで意見を得る、省コストにつながるものとなるものであり、【００３２】  シーズン、オフの川辺、海遊びにこれを用いる時、河釣りでは、アユ釣りの場合、ポイント地点まで衣類の上に本オブカッパの上下を着、ズボンは、長ぐつの外に出すと、そのまま水中の中に入って行っても、一切衣類は水に濡れずに済み、釣りを思う存分満喫でき、その襟元、枕元に空気袋を膨らませて、置くと、急な大水や、津波災害で攫われ、意識を失った際でも、水没する危険から、身を守る事が出来る物となった。
〔産業上の利用の可能性〕【００３３】  本発明品、ガンドウ、バケツでは、日本国家に蚊取線香がある限り、その常用期間内において、これが大いに工夫された場合、利用され続ける可能性が極めて大きく、そのついでに必ず、レジャー地においても携行されるものとなる事への推意は、気象科学現象を参考に得る、現在、既存されるバケツ形状の物に線香を入れ、ともした場合、風圧の関係上、煙溜りが良く、線香が早く燃える事もなく、蚊取り煙が、この中に丁度良く溜った頃を見計って、丁度良くそれが分散してゆく所となるので、特に屋外において使用する時には、この科学効果が大いに見分できる所となり、持ち運びが便利であり、第一に安全であった。「必要は発明の母なり、便利は発明の父なり、そして、欲求は発明の子なり」をする発明の三原則を、蚊取り効果による地味ではあるが、これを以って先駆的に庶民の消費ニーズに確実に喰い込んでゆく事が期待される一方、オブカッパ共々に、有事の際には、急場にすぐ役立つ為、各家庭一軒につき一個づつ常設される可能性を推意する時、産業上の可能性は非常に高い物となった。
【図面の簡単な説明】
【００３４】
【図１】  本発明品、××バケツを防災設置バケツに仕立て、各家庭に常設、常備する中、その中にゴム、クッション、リングを用けるた麦ワラ帽子状の××、ヘルメットを備えて置き、ゴムリングに虫除け、カヤを巻き付けて置くと、釣りや、庭の草取り中、ヤブ蚊に刺される事なく、日除けとなり、急な蜂の襲来時にも役立ち、キャンプ地では、××ヘルメットのヘリを折って寝袋、若しくは、オブカッパに入って寝ると、蚊や蜂に刺されなくても済む事を示した図であった。
【図２】  本発明××バケツを七輪、ガンドウ灯り、カガリ火、椅子、猫除け網、虫除けヘルメット、水切り網、ボート（車）ヘッドライト、ボート安定器、ドラ、タモ、活け巣等々にしたした使用例図。
【００３５】
【図３】  本発明オブカッパの全体図を示し、使用する為の手段を示し、陸上使用例、水中使用例、シュラーフザック代用使用例
【附号の説明】
１、本発明、××バケツ本体。２、××ヘルメットであり、ヘリを除く、帽子（ヘルメット）部分は、金網にて強靭に作られている。３、クッションゴム。４、カヤで作られたシコロ。５、カヤ布をクッションゴムに巻き付けた物である事を示し、それを巻き解くと、虫除けカヤになる事を示している。６、急な蜂等の襲来時、顔面をカヤが防護する図。７、ファスナー。８、オブカッパ  ９、屋外就眠時、××ヘルメットに取り付けられたカヤが、蚊の吸い付きを防護している所を示している。１０、シュラーフザック代用のプチオブカッパ。１１、プチオブカッパの上下にウレタン、ビニールを被せると、体温が保てる事を示す。（別、特願２００５−    号、陣羽織参照。１２、鍋。１３、××バケツ、××ヘルメットを使用し、バケツ本体を七輪にしている図。１４、取っ手であるがこれに釣り芋を立てる工夫をし、バケツ本体を土中に埋めると避雷針となる図。１５、××バケツをローソクガンドウ、若しくは蚊取線香立てにした図。１６、××バケツをランプガンドウにした図。１７、ランプ。１８、強力磁石。１９、車体の鉄板。２０  ××ガンドウにプラスチックレンズを付けると、明るくなり、風が吹いても、中の灯は消えない事を示している。２１、ボートに取り付けたガンドウ、ヘッドライト。２２、下鉄カガリ。２３  小型ボードは水上において、急な横波を受けると、転腹の危険が生じる時、（メガホン、バケツが理想）穴の開いた本発明、バケツをスタビライザー（安定器）にするべく、ロープにこれを付け、水低杭を増やし、ボートをゆっくり進ませると転腹の危険がなくなる事を示した図。２４、取り外しの出来る取っ手。２５、××バケツの高台であるが、ネジ切りを付け、中にローソク、蚊取線香、ワサビが入れられる様にして置くものであり、ワサビは、虫刺され時、毒消し効果がある事を示す。２６、現在市販されている携帯ガス、カートリッヂ。２７、本発明される、××、バケツ専用の××、ガスコック。２８、××、バケツ専用の××、ガス、コンロ  ２９、鉄板、３０、焼肉。３１、空気通路孔であるが、ドライバー等でバケツの下部位置を容易に切れる様に印と溝をこの位置に付けて置く事を示す。３２、ドライバーで穴を開ける溝と印。３３、××、メガホンの図であるが、バケツの高台が（声）増副器になるが、これに紙、若しくは塩化ビニルパイプをつなぐと、トランペット効果が生じ、携帯電磁メガホン以上の拡声効果があり、風の強い日など、隣りの船間同志の出来ない筈の会話がスムーズになり、遭難者救助作業にも大いに役立つ物となる事を示している図。３４、海、山作業において、（日本国内）においては熊、野犬、鮫等）害獣に出喰わした場合、周囲に注意を促がし、××バケツをドラにして、ひるまずに力一杯叩き続けて前進します。（この際、絶対に後づさりしてはいけません。）害獣は必ず逃げ出し、安全は確保される事を示した図。３５、××バケツを椅子にした図。３６、××バケツをタモにした図。３７、××、バケツを生け巣にした図。３８、××ヘルメットを猫除け、カモメ除けに使用した使用図。３９、××ヘルメットにビニールを覆せ、雨具にした図。４０、イワナ、アユ、ヤマメ釣で河の中に入る事を必要とした場合、普通市販されている今までのカッパを使用した���、水がしみ込んで来るものがあったが、本発明、オブカッパを上下に着用した場合、そのまま、水中に入って行っても、衣類の一切は濡れる事もなく、急な蜂や蚊の襲来に際しても、対処でき、シーズンオフの海中において、クラゲ等に刺される心配もない事を示している使用例。４１、蜂、蚊の急な襲来。４２、毒素の強い電気クラゲ。４３、毒素の強い電気エイ。４４、オブカッパの全体図であるが、大型で普通に既市販されているポリ、ビニールゴミ入れ袋を逆さにして、降雨（雪）において、これをカッパに使用できる様に、首、肩部位にそれよりも小さ目の切り込み印を付けて置き、必要時には、ハサミ、若しくは手で、そこを破り捨て、印のついて破られた箇所に無理に頭と腕部を突っ込むと、ビニール袋の穴部に収縮作用が働き、使用時には首と肩部にフィットと雨水を胴体部にまで侵透させない効果があった。４５、オブカッパ、ズボンの全体図であったが、雨脚の部分は軽くノリ付けして置き、必要時には、ノリ付けを剥して使用するものとなる、夏期には、オブカッパを上下に着ると簡易の寝袋にもなった。４６、オブカッパの不要時には、ゴミを集めてゴミ袋として使用する事を示す。４７、輪ゴムはオブカッパの内側にパッテング。４８、軽いノリ付け。４９、ケミカル紐  ５０、本品は安価格大量制産品となるので、オブカッパの背にアピール宣伝文字を書き込むと、宣伝効果があった。５１、軽いノリ付けを剥して、オブカッパの袖部を出した所を示す。５２、オブカッパに空気、胸袋を取り付けると、水難災害時に役立つ事を示す。５３、オブカッパに空気枕を付けると、水難災害時、意識を失っても、水を吸い込まなくて済む事を示し、オブカッパに水圧がかかると膨らむ。５４、オブカッパに空気腰当てを付けている事を示し、オブカッパに水圧がかかると、自動的に膨らむ事を示し、浮力が付く。５５、オブカッパ全着装図。５６、オブカッパをプチビニールで製作した全装図であるが、夏期にはシュラーフザックの代用となる。５７、オブカッパをライフジャケット（夏）に使う場合の切り取線５８、プチビニールで作った靴下  ５９、現在市販されている牛乳、紙パック状の物をオブカッパの空気袋に使用すると、すぐに空気を入れられる事を示している図。６０、ビニール三角布を示した図であり、急な降天時に頭部を覆う事を示しているものだが、普段はオブカッパの内側にセロテープでパッテングして置く。６１、水圧。６２、水圧で二枚張りビニール内の空気が枕、襟袋に集められて空気袋が膨む事を示している。６３、雨水。６４、騒音に驚く害獣（熊）。６５、反射鏡  ６６、××コック、ワギナ穴にカートリッヂガスボンベにあるペニスコックを挿入すると、カートリッヂのガスが××コンロに流出する事を示している。６７、カートリッヂ、ガス流出器。６８、××ランプ。××ランプは、ガンドウバケツの正面部に灯りを出し、ランプの後部、には反射板（耐熱鏡）を張り合わせると強力ライトを発っするものとなる。
【図１】
2006283264.tif 000004
【図２】
2006283264.tif 000005
【図３】
2006283264.tif 000006